(57)【特許請求の範囲】
【請求項１】
回収すべき紙葉状の媒体を外部から受け入れ当該媒体が集積される集積部に搬送する案内部と、
上記案内部における上記媒体が搬送される搬送路の一側面側に設けられた第１のローラと、
上記第１のローラに対向して上記搬送路の他側面側に設けられた第２のローラと、
前記媒体が搬送される方向に対する側面からみて上記一側面側から上記他側面側に向かって少なくとも一部が上記第２のローラと重なるよう突設し、上記集積部から上記外部に向かって上記媒体が移動する際、上記第１のローラと上記第２のローラとの接触部分よりも上記集積部に近接する位置において当該媒体と接触する第１の面が形成された抜取防止部材と
を有する媒体回収庫。
【請求項２】
上記抜取防止部材は、上記外部から上記集積部に向かって上記媒体が移動する際に当該媒体に接触し上記他側面側に導く第２の面が形成され、
上記第１の面は、上記集積部から上記外部に向かって移動する媒体を上記一側面側に導く
請求項１に記載の媒体回収庫。
【請求項３】
上記第１の面及び上記第２の面は、上記一側面側から上記他側面側に向かうに連れて、搬送される上記媒体の面方向に直交する方向に対し上記外部から上記媒体集積部に向かって傾斜している
請求項２に記載の媒体回収庫。
【請求項４】
上記案内部における上記搬送路の一側面側に設けられ、上記外部から取り込まれた上記媒体を上記集積部に対し上記搬送路に沿って案内する第１案内体と、
上記第１案内体と対向して上記搬送路の他側面側に設けられ、上記媒体を上記集積部に対し上記搬送路に沿って案内する第２案内体と、
を有し、
上記抜取防止部材は、一端が上記第１案内体に固定されている
請求項３に記載の媒体回収庫。
【請求項５】
上記第２の面は、上記外部から上記集積部に向かって上記媒体が移動する際、上記第１のローラと上記第２のローラとの接触点よりも上記集積部に近接する位置において当該媒体と接触するよう形成されている
請求項４に記載の媒体回収庫。
【請求項６】
上記抜取防止部材は、上記他側面側の端部が尖る楔形でなる
請求項５に記載の媒体回収庫。
【請求項７】
上記抜取防止部材は、上記媒体を受け入れる受入回転方向に回転する第１のローラに応じて回転し、上記外部から上記集積部に向かって上記媒体が移動する際、上記搬送路から退避する
請求項１に記載の媒体回収庫。
【請求項８】
上記媒体回収庫が上下反転した際に上記抜取防止部材の上記受入回転方向への回転を防止する回転規制部
を有する請求項７に記載の媒体回収庫。
【請求項９】
紙葉状の媒体に関する取引を受け付ける接客部と、
上記接客部により受け付けた上記媒体を搬送する搬送部と、
回収すべき上記媒体を上記搬送部から受け入れ当該媒体が集積される集積部に搬送する案内部と、
上記案内部における上記媒体が搬送される搬送路の一側面側に設けられた第１のローラと、
上記第１のローラに対向して上記搬送路の他側面側に設けられた第２のローラと、
前記媒体が搬送される方向に対する側面からみて上記一側面側から上記他側面側に向かって少なくとも一部が上記第２のローラと重なるよう突設し、上記集積部から上記搬送部に向かって上記媒体が移動する際、上記第１のローラと上記第２のローラとの接触部分よりも上記集積部に近接する位置において当該媒体と接触する第１の面が形成された抜取防止部材と
を有する媒体取引装置。
【発明の詳細な説明】
【技術分野】
【０００１】
本発明は、媒体回収庫及び媒体取引装置に関し、例えば現金等の媒体を投入して所望の取引を行う現金自動預払機（ＡＴＭ：Automatic Teller Machine）等に適用して好適なものである。
【背景技術】
【０００２】
一般に銀行、郵便局、コンビニ等に設置されている現金自動預払機や、流通分野におけるＰＯＳ（Point Of Sales）レジスタでは、当該現金自動預払機やＰＯＳレジスタの本体に対し着脱可能な紙幣回収庫が設けられている（例えば、特許文献１参照）。
【０００３】
紙幣回収庫は、紙幣を集積させる内部空間を有する筐体に設けられた開口部から、現金自動預払機内部を搬送された紙幣を受け入れる。
【０００４】
そのような紙幣回収庫においては、当該紙幣回収庫が紙幣で満杯になる前に、係員が現金自動預払機から紙幣回収庫を取り外して運搬し、施錠機能を具備した扉を解錠し所定の場所において紙幣を取り出す。
【先行技術文献】
【特許文献】
【０００５】
【特許文献１】特開２００９−１８７２２８公報
【発明の概要】
【発明が解決しようとする課題】
【０００６】
このように現金自動預払機から紙幣回収庫が取り外された際、当該紙幣回収庫の開口部から、内部に集積されている紙幣を抜き取られてしまい、セキュリティを確保できないおそれがあった。
【０００７】
本発明は以上の点を考慮してなされたもので、セキュリティを向上し得る媒体回収庫及び媒体取引装置を提案しようとするものである。
【課題を解決するための手段】
【０００８】
かかる課題を解決するため本発明の媒体回収庫においては、回収すべき紙葉状の媒体を外部から受け入れ当該媒体が集積される集積部に搬送する案内部と、案内部における媒体が搬送される搬送路の一側面側に設けられた第１のローラと、第１のローラに対向して搬送路の他側面側に設けられた第２のローラと、媒体が搬送される方向に対する側面からみて一側面側から他側面側に向かって少なくとも一部が第２のローラと重なるよう突設し、集積部から外部に向かって媒体が移動する際、第１のローラと第２のローラとの接触部分よりも集積部に近接する位置において当該媒体と接触する第１の面が形成された抜取防止部材とを設けるようにした。
【０００９】
この媒体回収庫は、集積部から外部に向かって媒体が移動する際、媒体が挟持されていない状態で抜取防止部材の第１の面に媒体を当接させることができると共に、抜取防止部材の一部が第２のローラと重なることにより、媒体の移動を規制することができる。
【００１０】
また本発明の媒体取引装置においては、紙葉状の媒体に関する取引を受け付ける接客部と、接客部により受け付けた媒体を搬送する搬送部と、回収すべき媒体を搬送部から受け入れ当該媒体が集積される集積部に搬送する案内部と、案内部における媒体が搬送される搬送路の一側面側に設けられた第１のローラと、第１のローラに対向して搬送路の他側面側に設けられた第２のローラと、媒体が搬送される方向に対する側面からみて一側面側から他側面側に向かって少なくとも一部が第２のローラと重なるよう突設し、集積部から搬送部に向かって媒体が移動する際、第１のローラと第２のローラとの接触部分よりも集積部に近接する位置において当該媒体と接触する第１の面が形成された抜取防止部材とを設けるようにした。
【００１１】
この媒体取引装置は、媒体回収庫において集積部から外部に向かって媒体が移動する際、媒体が挟持されていない状態で抜取防止部材の第１の面に媒体を当接させることができると共に、抜取防止部材の一部が第２のローラと重なることにより、媒体の移動を規制することができる。
【発明の効果】
【００１２】
本発明によれば、集積部から外部に向かって媒体が移動する際、媒体が挟持されていない状態で抜取防止部材の第１の面に媒体を当接させることができると共に、抜取防止部材の一部が第２のローラと重なることにより、媒体の移動を規制することができる。かくして本発明は、セキュリティを向上し得る媒体回収庫及び媒体取引装置を実現できる。
【図面の簡単な説明】
【００１３】
【図１】現金自動預払機の構成における前面、左側面及び上面を示す斜視図である。
【図２】紙幣入出金機の構成を示す右側面図である。
【図３】第１の実施の形態による紙幣回収庫の構成（１）を示す右側面図である。
【図４】第１の実施の形態による紙幣回収庫の構成（２）を示す前面図である。
【図５】第１の実施の形態による紙幣回収庫の内部構成を示す前面図である。
【図６】第１の実施の形態による紙幣回収庫の紙幣受入状態を示す前面図である。
【図７】第１の実施の形態による紙幣回収庫の紙幣抜取防止状態を示す左側面図である。
【図８】第２の実施の形態による紙幣回収庫の構成（１）を示す右側面図である。
【図９】第２の実施の形態による紙幣回収庫の構成（２）を示す前面図である。
【図１０】第２の実施の形態による紙幣回収庫の内部構成を示す前面図である。
【図１１】第２の実施の形態による紙幣回収庫の紙幣受入状態を示す前面図である。
【図１２】第２の実施の形態による紙幣回収庫の紙幣抜取防止状態を示す左側面図である。
【図１３】他の実施の形態による紙幣回収庫の構成（１）を示す右側面図である。
【図１４】他の実施の形態による紙幣回収庫の構成（２）を示す右側面図である。
【発明を実施するための形態】
【００１４】
以下、発明を実施するための形態（以下実施の形態とする）について、図面を用いて詳細に説明する。
【００１５】
＜１．第１の実施の形態＞
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１６】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１７】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００１８】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００１９】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００２０】
操作表示部６は、取引に際して操作画面を表示するＬＣＤ（Liquid Crystal Display）と、取引の種類の選択、暗証番号や取引金額等を入力するタッチパネルとが一体化されている。
【００２１】
テンキー７は、「０」〜「９」の数字等の入力を受け付ける物理キーであり、暗証番号や取引金額等の入力操作時に用いられるようになされている。
【００２２】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２３】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２４】
筐体２は、所定の鍵により施錠され前面を覆う前扉２Ａ及び後面を覆う後扉２Ｂがそれぞれ開閉可能に構成されている。すなわち筐体２は、顧客との間で現金に関する取引を行う取引動作時には、前扉２Ａ及び後扉２Ｂを閉塞することにより、内部に保有している紙幣や硬貨等を保護する。一方筐体２は、金融機関の係員や作業者等が保守作業や紙幣の補充・回収作業等を行う作業時には、必要に応じて前扉２Ａ及び後扉２Ｂを開放することにより、内部の各部に対する作業を容易に行わせ得るようになされている。
【００２５】
筐体２内には、現金自動預払機１全体を統括制御する主制御部９や、紙幣に関する種々の処理を行う紙幣入出金機１０等が設けられている。
【００２６】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００２７】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００２８】
［１−２．紙幣入出金機の構成］
紙幣入出金機１０は、図２に模式的な側面図を示すように、紙幣入出金機筐体１１の内部に紙幣の入金処理や出金処理に関する種々の機構が設けられている。紙幣入出金機１０の各部分は、紙幣制御部１２により制御されるようになされている。
【００２９】
紙幣制御部１２は、主制御部９と同様、図示しないＣＰＵを中心に構成されており、図示しないＲＯＭやフラッシュメモリ等から所定のプログラムを読み出して実行し、また主制御部９などの他の制御部と連携することにより、紙幣の入金処理や出金処理等、紙幣に関する種々の処理を制御するようになされている。
【００３０】
また紙幣制御部１２は、内部にＲＡＭ及びフラッシュメモリ等でなる記憶部（図示せず）を有しており、この記憶部に種々の情報を記憶させるようになされている。
【００３１】
例えば顧客が現金自動預払機１との間で紙幣を入金する入金取引を行う場合、紙幣制御部１２は、主制御部９等と連携しながら、操作表示部６を介して所定の操作入力を受け付けた後、入出金口５のシャッタを開いて入出金部１３内へ紙幣を投入させる。
【００３２】
入出金部１３は、紙幣が投入されると、入出金口５のシャッタを閉じてから紙幣を１枚ずつ取り出し、搬送部１４へ受け渡す。搬送部１４は、紙幣を短辺方向に沿って進行させ、鑑別部１５へ搬送する。
【００３３】
鑑別部１５は、その内部で紙幣を搬送しながら当該紙幣の金種及び真偽、並びに損傷の程度等を鑑別し、その鑑別結果を紙幣制御部１２へ通知する。これに応じて紙幣制御部１２は、取得した鑑別結果に基づいて当該紙幣の搬送先を決定する。
【００３４】
このとき搬送部１４は、鑑別部１５において正常と鑑別された紙幣（いわゆる正券）を一時保留部１６へ搬送する等して一時的に保留させる一方、取引すべきでないと鑑別された紙幣（いわゆる損券や偽券等）を入出金部１３へ搬送して顧客に返却する。
【００３５】
その後紙幣制御部１２は、操作表示部６（図１）を介して顧客に入金金額を確定させ、一時保留部１６に保留している紙幣を鑑別部１５へ搬送させてその金種及び損傷の程度等を鑑別させ、その鑑別結果を取得する。
【００３６】
そして紙幣制御部１２は、紙幣の損傷の程度が大きければ、これを再利用すべきでない紙幣としてリジェクト庫１７へ搬送して収納させ、損傷の程度が小さければ、これを再利用すべき紙幣として紙幣収納ユニット１８へ搬送させる。
【００３７】
紙幣収納ユニット１８には、複数の収納カセット３５が設けられている。この収納カセット３５は、それぞれ対応する金種が予め定められている。このため紙幣収納ユニット１８は、搬送されてきた紙幣をその金種に応じた収納カセット３５に振り分けて収納させる。
【００３８】
また、例えば顧客が現金自動預払機１との間で紙幣を出金する出金取引を行う場合、紙幣制御部１２は、主制御部９等と連携しながら、操作表示部６を介して所定の操作入力を受け付けた後、出金すべき金額に応じた紙幣を紙幣収納ユニット１８の収納カセット３５から繰り出させる。
【００３９】
続いて紙幣制御部１２は、この紙幣を搬送部１４により鑑別部１５へ搬送して鑑別させた上で入出金部１３へ搬送し、入出金口５のシャッタを開いてこの紙幣を顧客に取り出させる。
【００４０】
ここで紙幣制御部１２は、入出金口５のシャッタを開いてから所定時間が経過してシャッタを閉じた後にも入出金部１３に紙幣が残っていた場合、顧客が当該紙幣を取り忘れたものと見なし、この紙幣を搬送部１４により取忘れ保管庫２０へ搬送して、他の紙幣と区別できるように保管する。
【００４１】
ところで、紙幣入出金機筐体１１の後側に設けられた補充回収庫２１は、内部に多数の紙幣を収納できるよう構成されると共に、その真上に設置された補充入出金部２２と連結されている。
【００４２】
また補充回収庫２１は、筐体２（図１）の背面に設けられた後扉２Ｂが開放されたときに、係員等の作業により、その内部に紙幣を収納し、またその内部から紙幣を取り出し得るようになされている。
【００４３】
紙幣制御部１２は、補充回収庫２１内に紙幣が収納された状態で所定の補充操作指示を受け付けると、補充回収庫２１から紙幣収納ユニット１８の収納カセット３５への紙幣の補充処理を行う。
【００４４】
このとき紙幣制御部１２は、補充入出金部２２により補充回収庫２１内から紙幣を順次繰り出させ、搬送部１４を介して紙幣収納ユニット１８へ搬送させて、指示された収納カセット３５内に紙幣を順次集積させる。
【００４５】
また紙幣制御部１２は、紙幣収納ユニット１８の収納カセット３５に紙幣が収納された状態で補充回収庫２１への回収操作指示を受け付けると、収納カセット３５から補充回収庫２１内への紙幣の回収処理を行う。
【００４６】
このとき紙幣制御部１２は、当該収納カセット３５から紙幣を順次繰り出させ、紙幣収納ユニット１８から搬送部１４を介して補充入出金部２２へ搬送させ、当該補充入出金部２２により補充回収庫２１内に順次集積させる。
【００４７】
因みに紙幣制御部１２は、各種取引処理等の合間に補充処理及び回収処理を適宜実行することにより、収納カセット３５における紙幣の不足や飽和を未然に防止して、顧客に対する入金取引や出金取引の提供を極力継続させるようになされている。
【００４８】
また、紙幣入出金機筐体１１の後側の下部に設けられた紙幣回収庫４０は、内部に紙幣を収納できるよう構成されている。
【００４９】
紙幣回収庫４０は、係員の操作により、後扉２Ｂ（図１）が開放された状態で紙幣入出金機筐体１１の後方で位置を合わせて前方向へ移動されることにより、紙幣入出金機筐体１１内に装着されるようになされている。この装着状態において紙幣回収庫４０は、紙幣入出金機筐体１１内の搬送部１４との間で紙幣を受け渡すことができる。
【００５０】
また紙幣回収庫４０は、係員の操作により、後扉２Ｂ（図１）が開放された状態で紙幣入出金機筐体１１に対し取出方向としての後方向へ移動されると、当該紙幣入出金機筐体１１内から取り外されるようになされている。
【００５１】
紙幣制御部１２は、紙幣収納ユニット１８の収納カセット３５に紙幣が収納された状態で紙幣回収庫４０への回収操作指示を受け付けると、収納カセット３５から紙幣回収庫４０内への紙幣の回収処理を行う。
【００５２】
このとき紙幣制御部１２は、当該収納カセット３５から紙幣を順次繰り出させ、紙幣収納ユニット１８から搬送部１４を介して紙幣回収庫４０内に順次集積させる。
【００５３】
［１−３．紙幣回収庫の構成］
図３、図４及び図５に、第１の実施の形態による紙幣回収庫４０を示す。図４は、紙幣回収庫４０の前面図であり、図５は、図４における上部ガイド４８及び下部ガイド５０（後述する）の内部の一部分を透過して示した図である。
【００５４】
図３に示すように紙幣回収庫４０は、上下左右及び前方を塞ぐ回収庫筐体４２の内部に紙幣ＢＬを上下に重ねて集積する紙幣集積部４４を有している。
【００５５】
紙幣集積部４４には、集積された紙幣ＢＬが所定の量に達し満杯となったか否かを検知する満杯検知センサ（図示せず）が設けられている。当該満杯検知センサは、紙幣ＢＬが満杯になったことを検知すると、所定の通知手段により係員に通知する。
【００５６】
回収庫筐体４２における前側面の上部には、紙幣集積部４４と紙幣回収庫４０の外部とを挿通する開口部４６が穿設されている。
【００５７】
紙幣集積部４４の前方上部と開口部４６との間には、当該開口部４６から受け入れた紙幣ＢＬを紙幣集積部４４に案内する案内部４７が形成されている。案内部４７は、回収庫筐体４２の右側及び左側をそれぞれ形成する右側板４２Ｒ及び左側板４２Ｌ（図４）と、上部ガイド４８と下部ガイド５０とにより囲まれて構成されている。
【００５８】
上部ガイド４８は、回収庫筐体４２の上側を形成する天板４２Ｔの内側面に取り付けられ、紙幣ＢＬの上方向への進行を防止しつつ紙幣集積部４４に案内する。
【００５９】
下部ガイド５０は、回収庫筐体４２の下側を形成する底板４２Ｂの内側面に取り付けられ、紙幣ＢＬの下方向への進行を防止しつつ紙幣集積部４４に案内する。
【００６０】
図５に示すように、案内部４７には、下部ガイド５０の上側面よりも下側において細長い円筒状の搬送ローラシャフト５４が左右方向に延設されている。
【００６１】
搬送ローラシャフト５４は、左端部においてワンウェイクラッチギアでなるギア５５を介して回収庫筐体４２に取り付けられており、図示しない駆動手段により図３中時計回りに回転駆動されると共に、反時計回りへの回転が規制されている。
【００６２】
搬送ローラシャフト５４には、紙幣ＢＬの長辺方向（左右方向）の長さよりも短い間隔を空けて円筒状でなる搬送ローラ５２（５２Ｒ及び５２Ｌ）が取り付けられている。搬送ローラ５２の上部分は、下部ガイド５０の上側面よりも上方に突出している。
【００６３】
搬送ローラ５２は、搬送ローラシャフト５４が軸芯を中心に図３中時計回りに回転すると、当該搬送ローラシャフト５４と共に時計回りに回転する。
【００６４】
また搬送ローラ５２は、搬送ローラシャフト５４に接続されたギア５５により、反時計回りへは回転しないため、紙幣ＢＬを紙幣集積部４４から紙幣回収庫４０の外側に搬送しないよう規制されている。
【００６５】
案内部４７には、上部ガイド４８の下側面よりも上側において２本の細長い円筒状の従動ローラシャフト５８が左右方向に延設されている。
【００６６】
従動ローラシャフト５８には、搬送ローラ５２と対向する箇所に円筒状でなる従動ローラ５６（５６Ｒ及び５６Ｌ）が取り付けられている。従動ローラ５６の下部分は、上部ガイド４８の下側面よりも下方に突出している。
【００６７】
この従動ローラシャフト５８は、その軸芯を中心に自在に回転すると共に、圧縮コイルばねでなるバネ６０により下方向へ押し付けられている。
【００６８】
このため従動ローラ５６は、当該従動ローラ５６の外周面が搬送ローラ５２の外周面に押し付けられることにより、当該搬送ローラ５２の回転に連れ回されて図３中反時計回りに回転する。以下では、搬送ローラ５２と従動ローラ５６とが接触する部分をローラ接触部分５３とも呼ぶ。
【００６９】
搬送部１４（図２）を介して紙幣ＢＬが搬送されてくると、搬送ローラ５２と従動ローラ５６とは、互いの間に当該紙幣ＢＬを挟み込み後方へ進行させることにより紙幣集積部４４へ送り出す。
【００７０】
上部ガイド４８の下側面には、側面視において、上方から下方に向かうに連れて細くなり、下端が尖った楔形状でなる抜取防止部材６２が、下方に向かって突設している。
【００７１】
この抜取防止部材６２は、左右方向の幅が搬送ローラ５２及び従動ローラ５６の幅よりも短く形成され、従動ローラ５６Ｒに近接する左右両側と、従動ローラ５６Ｌに近接する左右両側とにそれぞれ配置されている。
【００７２】
すなわち従動ローラ５６Ｒに対し、左側には抜取防止部材６２ＲＬが、右側には抜取防止部材６２ＲＲが配置され、従動ローラ５６Ｌに対し、左側には抜取防止部材６２ＬＬが、右側には抜取防止部材６２ＬＲが配置されている。
【００７３】
抜取防止部材６２の前側面６２Ｆ及び後側面６２Ｒは、平面状に形成され、上方から下方に向かうに連れて、前方から後方に向かって傾斜している。
【００７４】
すなわち抜取防止部材６２の前側面６２Ｆ及び後側面６２Ｒは、紙幣搬送方向（前後方向）に搬送される紙幣ＢＬの面方向に対して直交しておらず、紙幣集積部４４に向かって傾いて形成されている。
【００７５】
さらに、紙幣回収庫４０内においてローラ接触部分５３から前後方向に伸び、搬送ローラ５２及び従動ローラ５６に挟持されて紙幣ＢＬが搬送される回収庫内搬送路６８上においては、抜取防止部材６２の後側面６２Ｒが、ローラ接触部分５３よりも後側、すなわち紙幣集積部４４側に位置している。
【００７６】
また回収庫内搬送路６８上においては、抜取防止部材６２の前側面６２Ｆが、ローラ接触部分５３よりも後側、すなわち紙幣集積部４４側に位置している。
【００７７】
さらに抜取防止部材６２の先端は、ローラ接触部分５３の下側まで伸びている。このため、抜取防止部材６２の先端は、側面視において搬送ローラ５２の外周面が存在する位置であるローラ外周範囲ＲＣ１よりも内側に位置している。すなわち抜取防止部材６２の先端は、側面視において搬送ローラ５２に重なっている。
【００７８】
ところで図４に示したように、紙幣回収庫４０の前方視において、その内部構造は、案内部４７において搬送ローラ５２、従動ローラ５６及び抜取防止部材６２の一部分が外部からは目視可能である程度に留まっており、それ以外の機構は回収庫筐体４２、上部ガイド４８及び下部ガイド５０等により外部から視認できず、かつ接触できないよう保護されている。
【００７９】
一方ギア５５は、紙幣入出金機筐体１１に対し紙幣回収庫４０が着脱である構造上、紙幣回収庫４０の前面に露出している。このため、紙幣入出金機筐体１１から取り外された紙幣回収庫４０のギア５５に外部から触れることにより、係員は搬送ローラシャフト５４を図３中時計回りに回転させることができる。
【００８０】
かかる構成により、紙幣回収庫４０が外部から紙幣ＢＬを受け入れる紙幣受入状態においては、搬送ローラシャフト５４が回転駆動し、搬送ローラ５２を図３中時計回りに回転させる。搬送部１４（図２）を介して紙幣ＢＬが搬送されてくると、搬送ローラ５２と従動ローラ５６とは、互いの間に当該紙幣ＢＬを挟み込み、後方へ進行させる。
【００８１】
紙幣ＢＬは、搬送ローラ５２と従動ローラ５６とに挟持されながら、進行方向の先端部分が抜取防止部材６２の前側面６２Ｆに当接し、当該前側面６２Ｆに沿って下方に導かれる。
【００８２】
図５と対応する図６に示すように、抜取防止部材６２は、下端部により、紙幣ＢＬにおけるローラ接触部分５３の位置の左右両側を下方向に押し付ける。
【００８３】
これにより搬送ローラ５２と従動ローラ５６とは、紙幣ＢＬの形状を波打つように変形させながら紙幣集積部４４内へ放出する。
【００８４】
このように、紙幣ＢＬを外部から受け入れる際、紙幣回収庫４０は抜取防止部材６２により当該紙幣ＢＬを変形させながらも、搬送を止めてしまうことなく搬送ローラ５２と従動ローラ５８との間を通過させ、紙幣集積部４４へ集積する。
【００８５】
ところで紙幣回収庫４０の後面には、紙幣集積部４４を閉塞する後面扉６４が設けられている。後面扉６４は、全体として紙幣回収庫４０の後面を覆うような板状に形成され、且つ強固に構成されている。後面扉６４は、下部分に左右方向に沿って設けられた回動軸を中心として回動する。
【００８６】
後面扉６４の上方には、外扉鍵としての後面扉開閉鍵（図示せず）により施錠又は解錠し得る後面扉開閉錠６６が設けられている。
【００８７】
後面扉開閉錠６６は、紙幣回収庫４０が紙幣入出金機筐体１１内から外された状態で後面扉開閉鍵を用いて施錠されることにより、回収庫筐体４２の所定箇所と係合し、紙幣集積部４４からの紙幣ＢＬの取出を禁止する。
【００８８】
一方後面扉開閉錠６６は、紙幣回収庫４０が紙幣入出金機筐体１１内から外された状態で後面扉開閉鍵を用いて解錠されることにより、回収庫筐体４２の所定箇所との係合を解除し、紙幣集積部４４からの紙幣ＢＬの取出を可能とする。
【００８９】
このような構成において、紙幣集積部４２が紙幣ＢＬで満杯になったことを満杯検知センサが係員に通知すると、当該係員は、後扉２Ｂ（図２）を解錠し紙幣回収庫４０を紙幣入出金機筐体１１から取り出す。
【００９０】
続いて係員は、紙幣回収庫４０を運搬して所定の場所で後面扉開閉錠６６を解錠し、紙幣ＢＬを取り出す。
【００９１】
さらに係員は、紙幣ＢＬを取り出した紙幣回収庫４０の後面扉開閉錠６６を施錠して当該紙幣回収庫４０を紙幣入出金機筐体１１に装着し、後扉２Ｂを施錠する。
【００９２】
ここで、紙幣回収庫４０が紙幣入出金機筐体１１から取り出され運搬されている途中で紙幣集積部４４から不正に紙幣ＢＬを抜き取られようとした際における、紙幣ＢＬの抜き取りを防止する状態である紙幣抜取防止状態について述べる。
【００９３】
仮に抜取防止部材６２が設けられていない場合、搬送ローラ５２がギア５５により回転方向が規制されてはいるが、搬送ローラ５２と従動ローラ５６との間の摩擦力よりも大きな力で紙幣ＢＬを引っ張られれば、紙幣回収庫４０から紙幣を引き抜かれる可能性がある。
【００９４】
このとき紙幣ＢＬは、開口部４６の外側から例えばピンセットにより摘まれて引き抜こうとされる。
【００９５】
また紙幣回収庫４０は、案内部４７に対して後方の下部に紙幣集積部４４が配置されているため、図７に示すようにひっくり返されて天地を反転されると、回収庫筐体４２の天板４２Ｔ側に紙幣ＢＬが落下する。
【００９６】
このため外部からは、開口部４６を介して紙幣ＢＬが視認可能になり、また開口部４６から紙幣ＢＬまでの距離が短くなり紙幣ＢＬを摘み易くなるため、紙幣回収庫４０がこのような上下反転状態にされる可能性がある。
【００９７】
特に、紙幣集積部４４に集積している紙幣ＢＬの量が少ない場合、開口部４６からは当該紙幣ＢＬを摘みにくいため、紙幣回収庫４０が上下反転状態にされる可能性がある。
【００９８】
このような状況において、紙幣集積部４４から紙幣ＢＬが摘まれて上部ガイド４８と従動ローラ５６の外周面とに沿って前方に向かって移動した場合（紙幣ＢＬ１）、後側面６２Ｒがローラ接触部分５３よりも後方に位置しているため、当該紙幣ＢＬ１は抜取防止部材６２の後側面６２Ｒに接触する。
【００９９】
後側面６２Ｒは、前方から後方に向かって傾斜しているため、紙幣ＢＬ１の前端を当該後側面６２Ｒに沿わせて下方向に導く。このため紙幣ＢＬ１は、従動ローラ５６の外周面と、抜取防止部材６２の後側面６２Ｒとに挟まれ、前方への移動が規制される。
【０１００】
一方、紙幣集積部４４から紙幣ＢＬが摘まれて下部ガイド５０と搬送ローラ５２の外周面とに沿って前方に向かって移動した場合（紙幣ＢＬ２）、抜取防止部材６２の先端が従動ローラ５６に重なっているため、当該紙幣ＢＬ２は抜取防止部材６２の先端を越えることなく後側面６２Ｒに接触する。
【０１０１】
この場合も後側面６２Ｒは、紙幣ＢＬ２の前端を当該後側面６２Ｒに沿わせて下方向に導く。このため紙幣ＢＬ２は、従動ローラ５６の外周面と、抜取防止部材６２の後側面６２Ｒとに挟まれ、前方への移動が規制される。
【０１０２】
このとき紙幣ＢＬは、抜取防止部材６２ＬＬと左側板４２Ｌとの間、抜取防止部材６２ＬＲと６２ＲＬとの間、又は抜取防止部材６２ＲＲと右側板４２Ｒとの間（図４）を一部分が通過する可能性はあるが、紙幣ＢＬ全体が引き抜かれるためには、搬送ローラ５２と従動ローラ５６との間を通過する必要がある。
【０１０３】
これに対し紙幣回収庫４０は、紙幣ＢＬを搬送ローラ５２と従動ローラ５６との間を通過させないことにより、紙幣ＢＬの抜き取りを規制できる。
【０１０４】
このように紙幣回収庫４０は、紙幣集積部４４から紙幣ＢＬが外部に向かって移動する際、ローラ接触部分５３よりも先に抜取防止部材６２の後側面６２Ｒに当該紙幣ＢＬを接触させることにより、当該後側面６２Ｒと従動ローラ５６とで当該紙幣ＢＬを挟みこみ、当該紙幣ＢＬの前方への移動を防止することができる。
【０１０５】
［１−４．動作及び効果］
以上の構成において、紙幣回収庫４０は、紙幣ＢＬが搬送される回収庫内搬送路６８の一側面側である上側に設けられた上部ガイド４８から、回収庫内搬送路６８の他側面側である下側に設けられた下部ガイド５０に向かって一部が搬送ローラ５２と重なるよう突設し、紙幣集積部４４から外部に向かって紙幣ＢＬが移動する際、ローラ接触部分５３よりも紙幣集積部４４に近接する位置において当該紙幣ＢＬと接触する抜取防止部材６２を設けるようにした。
【０１０６】
ここで、特許文献１に記載された構成の場合、搬送ローラ及び従動ローラに対し紙幣回収庫の内側に設けられた突起部は、当該搬送ローラ及び従動ローラに対し紙幣の搬送方向に大きく離接した位置に設けられており、当該突起部は搬送ローラ及び従動ローラと重なっていない。このため紙幣は、外部から紙幣を引き抜かれようとした際、突起部の上端を容易に越えてしまう。
【０１０７】
これに対し本実施の形態によれば、抜取防止部材６２はローラ接触部分５３の極めて近傍に配置され、当該抜取防止部材６２の先端は搬送ローラ５２と重なっている。
【０１０８】
このため紙幣回収庫４０は、抜取防止部材６２の先端を紙幣ＢＬが越えないようにすることができる。
【０１０９】
また特許文献１の構成の場合、搬送ローラ及び従動ローラに対し紙幣回収庫の外側に設けられた突起部は、搬送ローラと一部が重なっている。
【０１１０】
しかしながらこの場合、抜き取られようとする紙幣の一部が搬送ローラ及び従動ローラに挟持され固定されている。このため、紙幣回収庫の外側へ紙幣を抜き出す際、紙幣における搬送ローラ及び従動ローラに挟持されている部分を支点として、紙幣の先端部を下向きに容易に変形させつつ、搬送ローラ及び従動ローラの軸方向に波打たせるように紙幣を変形させることにより、突起部の下端を容易に越えさせることができる。これにより紙幣は、紙幣回収庫の外部に抜き取られてしまう。
【０１１１】
また突起部は、搬送される紙幣の面方向に対し直交する方向に立設しているため、紙幣を外部から取り入れる際、紙幣が突起部に衝突し紙幣詰まりが発生してしまう可能性がある。
【０１１２】
これに対し本実施の形態によれば、前側面６２Ｆは、外部から搬送された紙幣ＢＬを紙幣回収庫４０内部に導くように傾斜しているため、外部から紙幣ＢＬを受け入れる際、当該紙幣ＢＬを確実に紙幣集積部４４に搬送することができる。
【０１１３】
一方、紙幣ＢＬを抜き出そうとした場合、搬送ローラ５２及び従動ローラ５６に挟持されていない状態で、すなわち紙幣ＢＬの一部が固定されていない状態で当該紙幣ＢＬを紙幣回収庫４０の外部から変形させることは極めて困難である。
【０１１４】
本実施の形態によれば、抜取防止部材６２の後側面６２Ｒは、ローラ接触部分５３よりも紙幣集積部４４に近接する位置に設けられている。
【０１１５】
このため、一部が固定されていない紙幣ＢＬの前端部分を下方向に変形させつつ、当該紙幣ＢＬを左右方向に波打たせるように変形させることにより抜取防止部材６２の先端を越えさせることは極めて困難である。
【０１１６】
また図５に示したように、抜取防止部材６２は、左右方向において従動ローラ５６に近接する位置に配置されている。このため紙幣回収庫４０は、紙幣ＢＬを上下方向に波打つように変形しにくくすることができる。
【０１１７】
さらに後側面６２Ｒ（図３）は後方に向かって傾斜しているため、抜取防止部材６２の先端部分を越えさせるためには、紙幣ＢＬの先端部分を、後方且つ下方に変形させる必要があるが、紙幣回収庫４０の外部から紙幣ＢＬをそのように変形させることは極めて困難である。
【０１１８】
また、抜取防止部材６２の前側面６２Ｆは、外部から搬送された紙幣ＢＬを導くように傾斜している。このため、抜取防止部材６２により紙幣ＢＬが波打つように変形しにくくされていても、紙幣回収庫４０は、紙幣ＢＬを紙幣集積部４４に搬送する際、搬送ローラ５２及び従動ローラ５６により紙幣ＢＬを挟持し、当該前側面６２Ｆに沿ってローラ接触部分５３を通過させることができる。
【０１１９】
ここで、回収庫内搬送路６８において前側面６２Ｆがローラ接触部分５３よりも前方に位置していると、紙幣ＢＬを受け入れる際、当該紙幣ＢＬはまず前側面６２Ｆに接触して変形してしまうため、搬送ローラ５２及び従動ローラ５６とにより適切に紙幣ＢＬを挟持できない可能性がある。
【０１２０】
このため、回収庫内搬送路６８において前側面６２Ｆはローラ接触部分５３よりも紙幣集積部４４に近接する位置に配置されていることが望ましい。
【０１２１】
また、特許文献１の構成の場合、搬送ローラ及び従動ローラに対し紙幣回収庫の内側に設けられた突起部は、当該搬送ローラ及び従動ローラに対し紙幣の搬送方向に大きく離接した位置に設けられているため、紙幣を紙幣回収庫内部に搬送する際、搬送ローラ及び従動ローラを通過した紙幣の先端が垂れ下がり、突起部に接触して搬送されなくなってしまうことにより、紙幣が詰まってしまう可能性があった。
【０１２２】
これに対し本実施の形態によれば、抜取防止部材６２はローラ接触部分５３の極めて近傍に設けられている。このため紙幣回収庫４０は、紙幣ＢＬの進行方向先頭部分を挟持しながら抜取防止部材６２の先端部分を越えさせることができるため、紙幣ＢＬを抜取防止部材６２に詰まらせることなく確実に紙幣集積部４４に搬送することができる。
【０１２３】
また紙幣回収庫４０においては、抜取防止部材６２の前側面６２Ｆが紙幣ＢＬの搬送を規制しないように傾斜しているため、確実に紙幣ＢＬを紙幣集積部４４に搬送することができる。
【０１２４】
また紙幣回収庫４０においては、上部ガイド４８に楔形状でなる抜取防止部材６２が固定されているだけであるため、極めて簡易な構成となっている。
【０１２５】
さらに紙幣回収庫４０においては、例えば紙幣回収庫４０の前面を覆うようなシャッタを設ける必要がない。
【０１２６】
このように紙幣回収庫４０は、極めて簡易な構成により、紙幣ＢＬの抜き取りを確実に防止することができる。
【０１２７】
以上においては上下反転状態の紙幣回収庫４０における紙幣抜取防止状態について述べたが、上下反転されていない通常状態においても、抜取防止部材６２は紙幣ＢＬの抜き取りを防止できる。
【０１２８】
以上の構成によれば、現金自動預払機１の紙幣回収庫４０は、上部ガイド４８から下部ガイド５０に向かって一部が搬送ローラ５２と重なるよう突設し、紙幣集積部４４から外部に向かって紙幣ＢＬが移動する際、ローラ接触部分５３よりも紙幣集積部４４に近接する位置において当該紙幣ＢＬと接触し紙幣ＢＬの移動を規制する後側面６２Ｒが形成された抜取防止部材６２を設けるようにした。
【０１２９】
これにより現金自動預払機１は、紙幣回収庫４０から紙幣ＢＬが不正に抜き取られることを確実に防止し、セキュリティを向上することができる。
【０１３０】
＜２．第２の実施の形態＞
［２−１．紙幣回収庫の構成］
図１に示す第２の実施の形態による現金自動預払機１０１は、第１の実施の形態による現金自動預払機１と比べて、図２に示す紙幣入出金機１１０における紙幣回収庫１４０が、紙幣入出金機１０における紙幣回収庫４０と異なっているものの、それ以外は同様に構成されている。
【０１３１】
また、第２の実施の形態による紙幣回収庫１４０は、それぞれ図３、図４及び図５との対応部分に同一符号を付した図８、図９及び図１０に示すように、搬送ローラ１５２及び従動ローラ１５６が、搬送ローラ５２及び従動ローラ５６と比べて、案内部１４７における回収庫内搬送路１６８に対して上下反転して配置されている。
【０１３２】
図１０に示すように、案内部１４７の上方には、上部ガイド１４８の下側面よりも上側において細長い円筒状の搬送ローラシャフト１５４が左右方向に延設されている。
【０１３３】
搬送ローラシャフト１５４は、左端部においてワンウェイクラッチギアでなるギア１５５を介して回収庫筐体１４２に取り付けられており、図示しない駆動手段により図８中時計回りに回転駆動されると共に、反時計回りへの回転が規制されている。
【０１３４】
第１の実施の形態と同様、図９に示すようにギア１５５は、紙幣入出金機筐体１１に対し紙幣回収庫１４０が着脱である構造上、紙幣回収庫１４０の前面に露出している。このため、紙幣入出金機筐体１１から取り外された紙幣回収庫１４０のギア１５５に外部から触れることにより、係員は搬送ローラシャフト１５４を図８中反時計回りに回転させることができる。
【０１３５】
搬送ローラシャフト１５４には、紙幣ＢＬの長辺方向の長さよりも短い間隔を空けて円筒状でなる搬送ローラ１５２（１５２Ｒ及び１５２Ｌ）が取り付けられている。搬送ローラ１５２の下部分は、上部ガイド１４８の下側面よりも下方に突出している。
【０１３６】
搬送ローラ１５２は、搬送ローラシャフト１５４が軸芯を中心に図８中反時計回りに回転されると、当該搬送ローラシャフト１５４と共に反時計回りに回転する。
【０１３７】
また搬送ローラ１５２は、搬送ローラシャフト１５４に接続されたギア１５５により、時計回りへは回転しないため、紙幣ＢＬを紙幣集積部４４から紙幣回収庫１４０の外側に搬送しないよう規制されている。
【０１３８】
案内部１４７の下方には、下部ガイド１５０の上側面よりも下側において２本の細長い円筒状の従動ローラシャフト１５８が左右方向に延設されている。
【０１３９】
従動ローラシャフト１５８には、搬送ローラ１５２と対向する箇所に円筒状でなる従動ローラ１５６（１５６Ｒ及び１５６Ｌ）が取り付けられている。従動ローラ１５６の上部分は、下部ガイド１５０の上側面よりも上方に突出している。
【０１４０】
この従動ローラシャフト１５８は、その軸芯を中心に自在に回転すると共に、圧縮スプリングでなるバネ６０により上方向へ押し付けられている。
【０１４１】
このため従動ローラ１５６は、当該従動ローラ１５６の外周面が搬送ローラ１５２の外周面に押し付けられることにより、当該搬送ローラ１５２の回転に連れ回されて図８中時計回りに回転する。
【０１４２】
搬送ローラシャフト１５４における搬送ローラ１５２Ｒ及び１５２Ｌそれぞれの左右両側には、抜取防止部材１６２が配置されている。
【０１４３】
すなわち搬送ローラ１５２Ｒに対し、左側には抜取防止部材１６２ＲＬが、右側には抜取防止部材１６２ＲＲが配置され、搬送ローラ１５２Ｌに対し、左側には抜取防止部材１６２ＬＬが、右側には抜取防止部材１６２ＬＲが配置されている。
【０１４４】
この抜取防止部材１６２は、ボス７０と、爪部７２と、突起板７４とが一体となって構成されている。
【０１４５】
ボス７０は、円筒状でなり、内蔵されたワンウェイトルクリミッタを介して搬送ローラシャフト１５４に横貫されて固定されることにより、当該搬送ローラシャフト１５４の回転に合わせて回転する。
【０１４６】
このためボス７０は、搬送ローラシャフト１５４を軸として図８中反時計回りに回転する一方、時計回りへは回転しないと共に、当該ボス７０に所定値以上のトルクが加わると、搬送ローラシャフト１５４からの回転力を断絶する。
【０１４７】
爪部７２は、第１の実施の形態による抜取防止部材６２と同様に、側面視において、上方から下方に向かうに連れて細くなる下端が尖った楔形状でなり、ボス７０の前面から下面に渡る部分から、下方に向かって突設している。
【０１４８】
爪部７２の前側面７２Ｆ及び後側面７２Ｒは平面状に形成され、上方から下方に向かうに連れて、前方から後方に向かって傾斜している。
【０１４９】
また回収庫内搬送路１６８上においては、爪部７２の後側面７２Ｒ及び前側面７２Ｆが、ローラ接触部分１５３よりも後側、すなわち紙幣集積部４４側に位置している。
【０１５０】
さらに爪部７２の先端は、ローラ接触部分１５３よりも下側まで伸びている。このため、爪部７２の先端は、側面視において従動ローラ１５６の外周面が存在する位置であるローラ外周範囲ＲＣ２よりも内側に位置している。すなわち爪部７２の先端は、側面視において従動ローラ１５６に重なっている。
【０１５１】
突起板７４は、直方体形状でなり、搬送ローラシャフト１５４を挟んで爪部７２と対向する位置である当該搬送ローラシャフト１５４の後方上側において、ボス７０から突設している。
【０１５２】
ボス７０の後方上部には、直方体形状の第１回転規制部７８が回収庫筐体１４２に固定されている。
【０１５３】
搬送ローラ１５２が回転しておらず紙幣回収庫１４０の外部から紙幣集積部４４へ紙幣ＢＬを取り込んでいない状態である紙幣非受入状態においては、図８に示すように突起板７４が第１回転規制部７８に当接する。
【０１５４】
ボス７０の前方上部には、回収庫筐体１４２に固定された直方体形状の回動規制部８０と、当該回動規制部８０の後端に設けられた回動軸８２と、直方体形状でなり上端が当該回動軸８２に接続された突起係止部８４とからなる第２回転規制部８６が配されている。なお、図１０においては、第２回転規制部８６は図示せず省略している。
【０１５５】
突起係止部８４は、回動軸８２を中心に、突起板非係止位置Ｐ１から突起板係止位置Ｐ２までを回動可能に形成されている。
【０１５６】
回動規制部８０には、引張コイルばねでなるバネ８８の上端が固定されている。爪部７２は、前端にバネ８８の下端が取り付けられることにより、上方向へ引き上げられている。
【０１５７】
このためボス７０を介して爪部７２に対向して当該爪部７２と一体形成された突起板７４は、図８中時計回りに付勢され、紙幣非受入状態においては第１回転規制部７８に押し付けられる。
【０１５８】
一方、搬送ローラ１５２が回転し紙幣回収庫１４０の外部から紙幣集積部４４へ紙幣ＢＬを取り込む状態である紙幣受入状態においては、搬送ローラシャフト１５４は、バネ８８の弾性力よりも大きな力で、抜取防止部材１６２を反時計回りに回転させる。
【０１５９】
このため図１１に示すように、爪部７２が搬送ローラシャフト１５４を中心として反時計回りに回転することにより、当該爪部７２の先端が、ローラ接触部分５３よりも上方に位置する。
【０１６０】
また、突起板７４も搬送ローラシャフト１５４を中心として反時計回りに回転し、突起板係止位置Ｐ１に位置している突起係止部８４に当接する。突起係止部８４は回動規制部８０に係止されることにより突起板係止位置Ｐ１を保つ。これにより抜取防止部材１６２が位置決めされる。
【０１６１】
このとき搬送ローラシャフト１５４は、紙幣ＢＬを取り込むために回転し続けるため、突起板７４に対し、突起係止部８４に向かって押し付ける力を加える。
【０１６２】
ここで抜取防止部材６２は、ワンウェイトルクリミッタを介して搬送ローラシャフト１５４に取り付けられているため、突起係止部８４に押し付けられて所定値以上の力が加わると、搬送ローラシャフト１５４からの回転力が伝達しなくなるため破損が防止される。
【０１６３】
このように紙幣受入状態においては、抜取防止部材６２がローラ接触部分１５３よりも上方に回転移動し、回収庫内搬送路１６８から退避する。これにより、搬送ローラ１５２と従動ローラ１５６とは、紙幣ＢＬの形状を変形させずに紙幣集積部４４内へ放出する。このため紙幣回収庫４０は、紙幣ＢＬに傷を付きにくくすることができる。
【０１６４】
以下では、第２の実施の形態による紙幣抜取防止状態について述べる。この状態においては、紙幣回収庫１４０は紙幣入出金機筐体１１から取り外されているため、図８に示したように紙幣非受入状態となっている。
【０１６５】
このため紙幣回収庫１４０の上下反転状態においても、図１２に示すように、突起板７４はバネ８８により第１回転規制部７８に押し付けられる。
【０１６６】
紙幣回収庫１４０が上下反転すると、突起係止部８４は、自重により、回動軸８２を中心に突起板非係止位置Ｐ１から突起板係止位置Ｐ２まで回動する。
【０１６７】
突起板係止位置Ｐ２に位置する突起係止部８４は、先端が突起板７４に当接し、当該突起板７４を第１回転規制部７８に押し付ける。これにより突起係止部８４は、抜取防止部材１６２の図１２中時計回りの回転を防止する。
【０１６８】
このように紙幣抜取防止状態においては、突起係止部８４が突起板７４の回転を規制することで、紙幣非受入状態にある抜取防止部材１６２の、時計回り及び反時計回りへの回転を防止することができる。
【０１６９】
［２−２．動作及び効果］
以上の構成において、紙幣受入状態においては、抜取防止部材１６２が回収庫内搬送路１６８から退避する。
【０１７０】
このため、搬送ローラ１５２と従動ローラ１５６とは、紙幣ＢＬの形状を変形させずに紙幣集積部４４内へ放出することにより、紙幣ＢＬに傷を付きにくくすることができる。
【０１７１】
また紙幣回収庫１４０は、上下反転状態においても、バネ８８の弾性力により、通常状態と同様に抜取防止部材１６２を紙幣非受入状態とするようにした。このため、紙幣回収庫１４０は、紙幣ＢＬの抜き取りを防止できる。
【０１７２】
ここで、ギア１５５は紙幣回収庫１４０の前面に露出している。このため、ユーザが当該ギア１５５に触れて、バネ８８の弾性力よりも強い力で図１２中時計回りに搬送ローラシャフト１５４を回転させることにより、抜取防止部材１６２を紙幣受入状態にし、搬送ローラ１５２と従動ローラ１５６との間から紙幣ＢＬを通過させようとする可能性がある。
【０１７３】
これに対し、紙幣回収庫１４０の上下反転状態においては、突起係止部８４が自重により自動的に突起板非係止位置Ｐ１から突起板係止位置Ｐ２まで回動するようにした。
【０１７４】
このため突起係止部８４は、上下反転状態における抜取防止部材１６２の回動を防止することができる。
【０１７５】
このように紙幣回収庫１４０は、上下反転状態において、バネ８８の弾性力により抜取防止部材１６２の紙幣非受入状態を保ちつつ、さらに、当該バネ８８の弾性力を超えた力が抜取防止部材１６２に加えられた場合においても、突起係止部８４により紙幣抜取防止状態を保つことができる。
【０１７６】
その他第２の実施の形態による紙幣回収庫１４０は、第１の実施の形態による紙幣回収庫４０とほぼ同様の作用効果を奏し得る。
【０１７７】
以上の構成によれば、現金自動預払機１０１の紙幣回収庫１４０は、紙幣ＢＬを外部から受け入れる際の受入回転方向に回転する搬送ローラ５２に応じて回転し外部から紙幣集積部４４に向かって紙幣ＢＬが移動する際、回収庫内搬送路１６８から退避する抜取防止部材１６２を設けると共に、紙幣回収庫１４０が上下反転した際に抜取防止部材１６２の受入回転方向への回転を防止する第２回転規制部８６を設けるようにした。
【０１７８】
これにより現金自動預払機１０１は、紙幣回収庫１４０から紙幣ＢＬが不正に抜き取られることを確実に防止し、セキュリティを向上することができる。
【０１７９】
＜３．他の実施の形態＞
なお上述した実施の形態においては、抜取防止部材を楔形状とする場合について述べた。本発明はこれに限らず、例えば図１３に示す抜取防止部材２６２のように上端と下端との前後方向の長さがほぼ等しい略直方体形状でも良く、又は図１４に示す抜取防止部材３６２のように前側面及び後側面が湾曲するような形状でも良い。
【０１８０】
要は、前方から後方に向かう紙幣ＢＬの移動を妨げないと共に、後方から前方に向かう紙幣ＢＬの移動を妨げるような形状であれば良い。
【０１８１】
また上述した第１の実施の形態においては、上部ガイド４８から下方に突設する抜取防止部材６２を設ける場合について述べた。
【０１８２】
本発明はこれに限らず、抜取防止部材を、下部ガイド５０から上方に突設するように設けても良い。この場合、従動ローラ５６は紙幣ＢＬの厚みに合わせて上方向に移動するため、当該従動ローラ５６が最も上方向に移動した状態においても、抜取防止部材の上端がローラ接触部分よりも上側に位置するように、当該抜取防止部材の上下方向の長さを設定することが望ましい。
【０１８３】
さらに上述した第１の実施の形態においては、抜取防止部材６２のみを設ける場合について述べたが、これに加え、下部ガイド５０から上方に突設する抜取防止部材を組み合わせて設けても良い。
【０１８４】
さらに上述した第２の実施の形態においては、搬送ローラシャフト１５４のみに抜取防止部材１６２を設ける場合について述べたが、これに加え、従動ローラシャフト１５８に抜取防止部材を設けても良い。
【０１８５】
さらに上述した第１の実施の形態においては、紙幣回収庫４０に４個の抜取防止部材６２を設ける場合ついて述べたが、例えば抜取防止部材６２ＲＲ及び６２ＬＬのみを設ける、又は抜取防止部材６２ＲＬ及び６２ＬＲのみを設ける等、一部の抜取防止部材６２を省略しても良い。紙幣回収庫１４０についても同様である。
【０１８６】
このように、前方から後方に向かう紙幣ＢＬの移動を妨げないと共に、後方から前方に向かう紙幣ＢＬの移動を妨げることができれば、抜取防止部材は種々の個数や配置として良い。
【０１８７】
さらに上述した第２の実施の形態においては、ボス７０にワンウェイトルクリミッタを内蔵する場合について述べたが、これに限らず、搬送ローラシャフト１５４の回転力を抜取防止部材１６２に対し加えない構成であれば、その他種々の構成としても良い。
【０１８８】
さらに上述した第２の実施の形態においては、紙幣回収庫１４０が上下反転した際、突起係止部８４が自重により回動する場合について述べたが、これに限らず、所定の付勢手段により突起係止部８４を突起板係止位置Ｐ２へ移動させる等、種々の手段により突起係止部を回動させて良い。
【０１８９】
さらに上述した第２の実施の形態においては、回収庫内搬送路１６８上において、爪部７２の前側面７２Ｆが、ローラ接触部分１５３よりも後側に位置する場合について述べた。
【０１９０】
本発明はこれに限らず、回収庫内搬送路１６８上において、爪部７２の前側面７２Ｆが、ローラ接触部分１５３よりも前側に位置しても良い。
【０１９１】
この場合においても、紙幣受入状態において抜取防止部材１６２は回収庫搬送路１６８から退避するため、搬送ローラ１５２及び従動ローラ１５８に挟持される前に抜取防止部材１６２に接触してしまうことはない。
【０１９２】
さらに上述した実施の形態においては、媒体として紙幣について述べたが、本発明はこれに限らず、例えば商品券や金券、入場券等のような薄い紙状の媒体であれば良い。
【０１９３】
さらに上述した実施の形態においては、案内部としての案内部４７と、第１のローラとしての従動ローラ５６又は搬送ローラ１５２と、第２のローラとしての搬送ローラ５２又は従動ローラ１５６と、抜取防止部材としての抜取防止部材６２又は１６２とによって媒体回収庫としての紙幣回収庫４０又は１４０を構成する場合について述べた。
【０１９４】
本発明はこれに限らず、その他種々の構成でなる案内部と、第１のローラと、第２のローラと、抜取防止部材とによって媒体回収庫を構成するようにしても良い。
【０１９５】
さらに上述した実施の形態においては、接客部としての接客部３と、搬送部としての搬送部１４と、案内部としての案内部４７と、第１のローラとしての従動ローラ５６又は搬送ローラ１５２と、第２のローラとしての搬送ローラ５２又は従動ローラ１５６と、抜取防止部材としての抜取防止部材６２又は１６２とによって媒体取引装置としての現金自動預払機１又は１０１を構成する場合について述べた。
【０１９６】
本発明はこれに限らず、その他種々の構成でなる接客部と、搬送部と、案内部と、第１のローラと、第２のローラと、抜取防止部材とによって媒体取引装置を構成するようにしても良い。
【産業上の利用可能性】
【０１９７】
本発明は、搬送されてくる紙幣等の紙葉状の媒体を所定の空間内に放出し重ねて集積する種々の装置でも利用できる。
【符号の説明】
【０１９８】
１、１０１……現金自動預払機、２……筐体、３……接客部、４……カード入出口、５……入出金口、６……操作表示部、７……テンキー、８……レシート発行口、９……制御部、９Ａ……記憶部、１０、１１０……紙幣入出金機、１１……紙幣入出金機筐体、１２……紙幣制御部、１３……入出金部、１４……搬送部、１５……鑑別部、１６……一時保留部、１７……リジェクト庫、１８……紙幣収納ユニット、２０……取忘れ保管庫、２１……補充回収庫、２２……補充入出金部、３５……収納カセット、４０、１４０、２４０、３４０……紙幣回収庫、４２、１４２……回収庫筐体、４２Ｔ……天板、４２Ｂ……底板、４２Ｌ……左側板、４２Ｒ……右側板、４４……紙幣集積部、４６……開口部、４７、１４７……案内部、４８、１４８……上部ガイド、５０、１５０……下部ガイド、５２、１５２……搬送ローラ、５３、１５３……ローラ接触部分、５４、１５４……搬送ローラシャフト、５５、１５５……ギア、５６、１５６……従動ローラ、５８、１５８……従動ローラシャフト、６０、１６０……バネ、６２、１６２、２６２、３６２……抜取防止部材、６２Ｆ、１６２Ｆ……前側面、６２Ｒ、１６２Ｒ……後側面、６４……後面扉、６６……後面扉開閉錠、６８、１６８……回収庫内搬送路、７０……ボス、７２……爪部、７４……突起板、７８……第１回転規制部、８０……回動規制部、８２……回動軸、８４……突起係止部、８６……第２回転規制部、８８……バネ、ＢＬ……紙幣。
【図１】
0005807581.tif 000002
【図２】
0005807581.tif 000003
【図３】
0005807581.tif 000004
【図４】
0005807581.tif 000005
【図５】
0005807581.tif 000006
【図６】
0005807581.tif 000007
【図７】
0005807581.tif 000008
【図８】
0005807581.tif 000009
【図９】
0005807581.tif 000010
【図１０】
0005807581.tif 000011
【図１１】
0005807581.tif 000012
【図１２】
0005807581.tif 000013
【図１３】
0005807581.tif 000014
【図１４】
0005807581.tif 000015